(57)【要約】【課題】指で掴み易く、ビス止めする際の位置固定がし易い、取扱い性に優れたワッシャーと、その有効な使用方法を提供する。【解決手段】ワッシャー１は、ドーナツ板状のワッシャー本体１ａに、遠心方向に突き出す突起部１ｂを一体に設けた構成とする。突起部１ｂがあるため指で掴み易く、取扱い性が良好である。ワッシャー１の有効な使用方法は、スイッチ素子１１等を搭載した基板１２を下方から支持するボス部１３ｂの先端に、上記ワッシャー１を、その突起部１ｂを上方に向けて、ビス１４で固定し、基板１２を取付けるものである。突起部１ｂを上方に向けてワッシャー１をビス止めすると、振動や衝撃を受けても基板１２が突起部１ｂを乗り越えることがないので、基板の脱落を確実に防止することができる。【選択図】図５
2009036278.tif 000002
【特許請求の範囲】
【請求項１】
ドーナツ板状のワッシャー本体に、遠心方向に突き出す突起部を形成したことを特徴とするワッシャー。
【請求項２】
捨て基板から切り出されたものであることを特徴とする請求項１に記載のワッシャー。
【請求項３】
スイッチ素子等を搭載した基板を下方から支持するボス部の先端に、請求項１又は請求項２に記載のワッシャーを、その突起部を上方に向けて、ビスで固定することを特徴とするワッシャーの使用方法。
【発明の詳細な説明】
【技術分野】
【０００１】
本発明は、取扱い性が向上するように改良したワッシャーと、その有効な使用方法に関する。
【背景技術】
【０００２】
液晶テレビ等のフロントキャビネットの下部にスイッチ素子を取付ける方法として、図７の（ａ）（ｂ）に示すように、スイッチ素子１１が搭載された基板１２を、フロントキャビネット１０の背面から突き出した左右の短いボス部１３ａ，１３ａと中央の長いボス部１３ｂとで上下から挟み、基板１２を下方から支持する中央のボス部１３ｂの先端にドーナツ板状のワッシャー１００をビス１４で固定する方法が知られている。
【０００３】
一方、基板の貫通孔に絶縁性のネジを挿入し、このネジの先端に絶縁性のワッシャーを圧入したのち、これらを筐体内に収容して、絶縁性のネジで締結固定する電気的絶縁方法が提案されている（特許文献１）。
【０００４】
また、高さ調節ボルトを回転させる特殊な座金として、周囲に係合壁を備えると共に、外側に延びる回転操作用のアームを備えた金属製の座金も提案されている（特許文献２）。
【０００５】
更に、電気機器の内部に設けた固定座と基板との間、および、ねじの頭部と基板との間に、それぞれ上側、下側緩衝剤を介挿してねじ固定した基板の固定方法も提案されている（特許文献３）。
【特許文献１】特開２００５−１０９３１４号公報
【特許文献２】特開２００４−１７６７４１号公報
【特許文献３】特開平８−２２２８７１号公報
【発明の開示】
【発明が解決しようとする課題】
【０００６】
しかしながら、従来から使用されているドーナツ板状のワッシャー１００は、指で掴みにくく、ビス止めする際に位置を固定しにくいため、取扱い性があまり良くないという問題があった。
【０００７】
また、従来のワッシャー１００で基板１２が外れないように押さえていても、図７の（ｂ）に示すように、ワッシャー１００の上端が基板１２の上側にあまり突き出していないため、振動や衝撃を受けると、基板１２がワッシャー１００を乗り越えて外れ易いという問題もあった。
【０００８】
これらの問題は、前記特許文献１〜３の技術を応用しても、解決することはできない。
【０００９】
本発明は、上記事情の下になされたもので、その解決しようとする課題は、指で掴み易く、ビス止めする際の位置固定がし易い、取扱い性に優れたワッシャーを提供すること、及び、スイッチ素子等が搭載された基板の脱落を防止できる該ワッシャーの有効な使用方法を提供することにある。
【課題を解決するための手段】
【００１０】
上記課題を解決するため、本発明に係るワッシャーは、ドーナツ板状のワッシャー本体に、遠心方向に突き出す突起部を形成したことを特徴とするものである。このワッシャーは、捨て基板から切り出されたものであることが望ましい。
【００１１】
そして、本発明に係るワッシャーの使用方法は、スイッチ素子等を搭載した基板を下方から支持するボス部の先端に、上記の本発明に係るワッシャーを、その突起部を上方に向けて、ビスで固定することを特徴とするものである。
【発明の効果】
【００１２】
本発明のワッシャーのように、ドーナツ板状のワッシャー本体に、遠心方向に突き出す突起部が形成されていると、指先で突起部を挟んでワッシャーを簡単に掴むことができ、ビス止めする際に、突起部を指先で掴んだままワッシャー本体を簡単に所定の位置に固定できるので、取扱い性が大幅に向上し、ビス止め作業を容易に行えるようになる。特に、ワッシャーが捨て基板から切り出されたものであると、捨て基板の有効利用と購入部品点数の削減を図ることができるので、コストの低減が可能となる。
【００１３】
また、本発明の使用方法のように、基板を下方から支持するボス部の先端に、本発明のワッシャーを、その突起部を上方に向けて、ビスで固定すると、強い振動や衝撃を受けた場合でも、基板が突起部を乗り越えることは殆どないので、基板の脱落をほぼ確実に防止することができる。
【発明を実施するための最良の形態】
【００１４】
以下、図面を参照して本発明の具体的な実施形態を詳述する。
【００１５】
図１は本発明の一実施形態に係るワッシャーの正面図、図２はプリント配線基板の捨て基板に形成された同ワッシャーを示す平面図、図３はスイッチ素子を搭載した基板をフロントキャビネットの下部に取付けた液晶テレビの概略断面図、図４は同液晶テレビの基板取付け部分の横断面図、図５は同液晶テレビの基板取付け部分の背面図、図６は同液晶テレビの基板取付け部分の縦断面図である。
【００１６】
このワッシャー１は、図１に示すように、ドーナツ板状のワッシャー本体１ａに、遠心方向に突き出す突起部１ｂが一体に形成されたものである。このような突起部１ｂが形成されていると、指先で突起部１ｂを挟んでワッシャー１を簡単に掴むことができ、ビス止めする際に突起部１ｂを指先で掴んだままワッシャー本体１ａを簡単に所定の位置に固定できるので、取扱い性が大幅に向上し、ビス止め作業を容易に行えるようになる。
【００１７】
この突起部１ｂの大きさは、指で掴み易い程度であれば特に限定されないが、例えば、突起部１ｂの突出寸法をワッシャー本体１ａの外径の１／３〜２／３程度とし、突起部１ｂの幅寸法をワッシャー本体１ａの１／４〜１／３程度とすることが望ましい。突起部１ｂの突出寸法や幅寸法が上記範囲よりも小さい場合は、それほど掴み易くならず、また、上記範囲よりも大きくなると、却って突起部１ｂが邪魔になり、取扱い性が低下するという不都合が生じるので、好ましくない。
【００１８】
このワッシャー１は、図２に示すように、プリント配線基板２の捨て基板２ａから切り出されたものであることが望ましい。このように捨て基板２ａからワッシャー１を切り出すと、捨て基板２ａの有効利用と購入部品点数の削減を図ることができるので、コストの低減が可能となり、経済的である。
【００１９】
次に、図３〜図６を参照しながら、スイッチ素子が搭載された基板を液晶テレビのフロントキャビネットの下部に取付ける場合を例にとって、上記ワッシャー１の使用方法を説明する。
【００２０】
図３に示す液晶テレビは、フロントキャビネット１０の開口部に背後から液晶モジュール１５を取付け、この液晶モジュール１５の背面側にプリント配線基板１６を取付けると共に、スイッチ素子１１が搭載された基板１２をフロントキャビネット１０の下部の裏側に取付け、リアキャビネット１７を背後からフロントキャビネット１０に取付けたものであって、スイッチ素子１１を搭載した基板１２は以下の方法で取付けられている
即ち、この基板１２は、図４〜図６に示すように、フロントキャビネット１０の下部の裏面から突き出した左右の短いボス部１３ａ，１３ａと中央の長いボス部１３ｂとで上下から挟まれ、該基板１２を下方から支持する中央のボス部１３ｂの先端に、前記のワッシャー１を、その突起部１ｂを上方に向けて、ビス１３ｂで固定することにより、後側へ抜け出さないように取付けられている。そして、フロントキャビネット１０の裏面に形成された左右の凸リブ１０ａ，１０ａによって基板１２が両側から挟まれ、左右へ移動しないように取付けられている。また、スイッチ素子１１をオン・オフさせる凸子１１ａは、フロントキャビネット１０に形成された孔から前方へ突き出し、前方からオン・オフ操作できるようになっている。
【００２１】
上記ように、ワッシャー１の突起部１ｂを上方に向けてボス部１３ｂの先端にワッシャー１をビス止めすると、強い振動や衝撃を受けた場合でも、基板１２が突起部１ｂを乗り越えるようなことは皆無に等しいので、基板１２の脱落を確実に防止することができる。また、ワッシャー１のビス止めは、突起部１ｂを指で掴んで、ワッシャー本体１ａの中心孔がボス部１３ｂのビス孔と一致するように正確に位置を合わせ、その状態でビス１４をねじ込んで固定することができるので、作業性がすこぶる良好である。
【００２２】
これに対し、従来の突起部のないワッシャー１００は、これを捨て基板に形成したとしても、切り出してしまうと掴みにくいので、捨て基板と一緒にワッシャー１００をボス部１３ｂにビス止めしてから捨て基板を割って取り除くようにせざるを得ず、それ故、本発明のワッシャー１と同程度に作業性良く基板１２を取付けることは困難である。
【００２３】
以上、実施例を挙げて本発明のワッシャーとその有効な使用方法を説明したが、本発明のワッシャーは、例えばスイッチ素子以外の電子部品を搭載した基板を取付けるような場合にも勿論使用できるものである。
【図面の簡単な説明】
【００２４】
【図１】本発明の一実施形態に係るワッシャーの正面図である。
【図２】プリント配線基板の捨て基板に形成された同ワッシャーを示す平面図である。
【図３】スイッチ素子を搭載した基板をフロントキャビネットの下部に取付けた液晶テレビの概略断面図である。
【図４】同液晶テレビの基板取付け部分の横断面図である。
【図５】同液晶テレビの基板取付部分の背面図である。
【図６】同液晶テレビの基板取付け部分の縦断面図である。
【図７】（ａ）、（ｂ）は従来の液晶テレビの基板取付け部分の横断面と背面図である。
【符号の説明】
【００２５】
１    ワッシャー
１ａ  ドーナツ板状のワッシャー本体
１ｂ  突起部
２    プリント配線基板
２ａ  捨て基板
１０  フロントキャビネット
１１  スイッチ素子
１２  基板
１３ａ，１３ｂ  ボス部
１４  ビス
【図１】
2009036278.tif 000003
【図２】
2009036278.tif 000004
【図３】
2009036278.tif 000005
【図４】
2009036278.tif 000006
【図５】
2009036278.tif 000007
【図６】
2009036278.tif 000008
【図７】
2009036278.tif 000009